(57)【要約】【課題】ポケットに収容した伝票等の隠蔽性を保ち、当該伝票等の紛失を簡単に防止することができるようにすること。【解決手段】接着シートＳは、表面に第１情報表示部２１と第２情報表示部２２とを形成可能な基材シートＢＳの裏面に、疑似接着剤層１１、中間層１２、接着剤層１３、剥離シート１４の順に積層された層構造をなし、第１情報表示部２１の裏面側に第２情報表示部２２を折り返し、被着体Ｗに貼付することで隠蔽貼付状態としたときに、被着体Ｗとの間にポケット３０を形成可能に設けられる。接着シートＳは、隠蔽貼付状態としたときに、ポケット３０の外部に表出する位置に設けられるとともに、ポケット３０の開口部３０Ａを封止可能な封止シール部２６を有する。【選択図】図５
2012101514.tif 000002
【特許請求の範囲】
【請求項１】
表面に第１情報表示部と第２情報表示部とを形成可能な基材シートの裏面に接着剤層が積層され、前記第１情報表示部の裏面側に第２情報表示部を折り返すことで当該第２情報表示部を隠蔽可能な接着シートにおいて、
前記第１情報表示部裏面の接着剤層に設けられ、折り返された第２情報表示部と非接着となる接着不能部と、この接着不能部の外側に位置する前記第１情報表示部裏面の接着剤層により形成されて被着体に貼付可能な貼付部とを備え、
前記第１情報表示部の裏面側に第２情報表示部を折り返し、前記貼付部を介して被着体に貼付することで隠蔽貼付状態としたときに、当該被着体との間にポケットを形成可能に設けられ、
前記隠蔽貼付状態としたときに、前記ポケットの外部に表出する位置に設けられるとともに、前記ポケットの開口部を封止可能な封止シール部を有することを特徴とする接着シート。
【請求項２】
表面に第１情報表示部と第２情報表示部とを形成可能な基材シートの裏面に、疑似接着剤層、中間層、接着剤層、剥離シートの順に積層され、前記第１情報表示部の裏面側に第２情報表示部を折り返すことで当該第２情報表示部を隠蔽可能な接着シートにおいて、
前記第１情報表示部裏面の剥離シートにより形成され、折り返された第２情報表示部と非接着となる接着不能部と、この接着不能部の外側に位置する前記第１情報表示部裏面の接着剤層により形成されて被着体に貼付可能な貼付部とを備え、
前記第１情報表示部の裏面側に第２情報表示部を折り返して前記貼付部を介して被着体に貼付することで隠蔽貼付状態としたときに、当該被着体との間にポケットを形成可能に設けられ、
前記隠蔽貼付状態としたときに、前記ポケットの外部に表出する位置に設けられるとともに、前記ポケットの開口部を封止可能な封止シール部を有することを特徴とする接着シート。
【請求項３】
前記封止シール部の疑似接着剤層における接着力は、隣接する領域の疑似接着剤層の接着力よりも強く設定されていることを特徴とする請求項２記載の接着シート。
【発明の詳細な説明】
【技術分野】
【０００１】
本発明は、接着シートに係り、更に詳しくは、情報を表示する領域の一部を隠蔽して利用することができる接着シートに関する。
【背景技術】
【０００２】
従来より、配送物には配送伝票が貼付され、この配送伝票の情報を基に人手を介して受取人に配送されている。このため、配送伝票を通じて配送物に関する情報、例えば、商品名、商品価格等が漏洩し得る危惧があった。商品名は、受取人が購入したものを特定できるため、受取人のプライバシーに大きく関わり、商品価格は、商品価値を把握できるため、流通過程において盗難に合う可能性があり、これら情報は秘匿情報として取り扱われている。
【０００３】
特許文献１には配送伝票が開示されている。この配送伝票は、接着剤層を介して配送物等の被着体に貼付される貼付票と、この貼付票に折り返し可能に連設された配達票及び控票とを備えている。接着剤層は、貼付票の外縁に沿って平面視コ字状に設けられ、これにより、貼付票と被着体との間にポケットを形成可能となっており、このポケットの中に配達票及び控票を折り返し隠蔽状態としている。
【先行技術文献】
【特許文献】
【０００４】
【特許文献１】特開平１１−４８６３９号公報
【発明の概要】
【発明が解決しようとする課題】
【０００５】
しかしながら、特許文献１の場合、配達票及び控票を折り返して隠蔽状態で配送物に貼付したとしても、控票を引っ張り出すことで隠蔽していた情報が読み取られてしまったり、配送中に何かの要因で、配達票及び控票がポケットから抜け出て切取部８から切り離されて紛失してしまったりする、という不都合がある。ここで、配達票及び控票を折り返して隠蔽状態とした後でポケットの開口部を粘着テープ等で塞げば、前記不都合を解消できるが、この場合、粘着テープを予め用意する手間やコストが掛かる、という不都合を招来する。
【０００６】
［発明の目的］
本発明の目的は、ポケットに収容した伝票等の隠蔽性を保ち、当該伝票等の紛失を簡単に防止することができる接着シートを提供することにある。
【課題を解決するための手段】
【０００７】
前記目的を達成するため、本発明は、表面に第１情報表示部と第２情報表示部とを形成可能な基材シートの裏面に接着剤層が積層され、前記第１情報表示部の裏面側に第２情報表示部を折り返すことで当該第２情報表示部を隠蔽可能な接着シートにおいて、
前記第１情報表示部裏面の接着剤層に設けられ、折り返された第２情報表示部と非接着となる接着不能部と、この接着不能部の外側に位置する前記第１情報表示部裏面の接着剤層により形成されて被着体に貼付可能な貼付部とを備え、
前記第１情報表示部の裏面側に第２情報表示部を折り返し、前記貼付部を介して被着体に貼付することで隠蔽貼付状態としたときに、当該被着体との間にポケットを形成可能に設けられ、
前記隠蔽貼付状態としたときに、前記ポケットの外部に表出する位置に設けられるとともに、前記ポケットの開口部を封止可能な封止シール部を有する、という構成を採っている。
【０００８】
また、本発明は、表面に第１情報表示部と第２情報表示部とを形成可能な基材シートの裏面に、疑似接着剤層、中間層、接着剤層、剥離シートの順に積層され、前記第１情報表示部の裏面側に第２情報表示部を折り返すことで当該第２情報表示部を隠蔽可能な接着シートにおいて、
前記第１情報表示部裏面の剥離シートにより形成され、折り返された第２情報表示部と非接着となる接着不能部と、この接着不能部の外側に位置する前記第１情報表示部裏面の接着剤層により形成されて被着体に貼付可能な貼付部とを備え、
前記第１情報表示部の裏面側に第２情報表示部を折り返して前記貼付部を介して被着体に貼付することで隠蔽貼付状態としたときに、当該被着体との間にポケットを形成可能に設けられ、
前記隠蔽貼付状態としたときに、前記ポケットの外部に表出する位置に設けられるとともに、前記ポケットの開口部を封止可能な封止シール部を有する、という構成を採っている。
【０００９】
本発明において、前記封止シール部の疑似接着剤層における接着力は、隣接する領域の疑似接着剤層の接着力よりも強く設定される、という構成も好ましくは採用される。
【発明の効果】
【００１０】
本発明によれば、接着シートを被着体に貼付したときに、封止シール部がポケットの外部に表出する位置に設けられるので、接着シートの一部である封止シール部によりポケットの開口部を封止することができ、第２情報表示部の隠蔽性を保ち、当該第２情報表示部の紛失を確実に防止することができる。また、ポケットの開口部を封止するために粘着テープ等を用意する手間やコストを抑制することができる。
【図面の簡単な説明】
【００１１】
【図１】本発明に係る接着シートが配送伝票に適用された実施形態を示す概略平面図。
【図２】図１のａ矢視断面の模式図。
【図３】第２情報表示部の引き出し要領を示す図２と同様の模式図。
【図４】接着シートを貼付する準備状態の概略分解斜視図。
【図５】図３と同様の要領を示す概略斜視図。
【図６】ポケットに第２情報表示部を収容する要領を示す概略斜視図。
【図７】封止シール部によりポケットの開口部を封止した状態を示す概略斜視図。
【発明を実施するための形態】
【００１２】
以下、本発明の実施の形態について図面を参照しながら説明する。
なお、本明細書において、特に明示しない限り、「上」、「下」、「左」、「右」は、図１を基準として用いられ、各層や各シート等において、「表」、「表面」とは図１中手前側（図２中上側）、「裏」、「裏面」とは、図１中奥行き側（図２中下側）として用いられる。
【００１３】
図１〜図７において、接着シートＳは、本実施形態では、宅配商品等の配送伝票に適用され、宅配商品等の梱包体となる被着体Ｗに貼付されて使用される。接着シートＳは、表面から裏面に向かって基材シートＢＳ、疑似接着剤層１１、中間層１２、接着剤層１３、剥離シート１４の順に積層された層構造をなしている。
【００１４】
前記基材シートＢＳの表面は印字面とされる。基材シートＢＳとしては、サーマル紙や、表面にサーマルコートを施した上質紙、和紙、フイルム、又は、サーマルコートのない上質紙、和紙、フイルム等が例示できる。
【００１５】
前記疑似接着剤層１１は、複数、例えば、二層の積層フイルムによって構成され、それらの界面、すなわち、疑似接着面で剥離可能に設けることができる。疑似接着形成層１１に用いるフイルムとしては、例えば、ポリエチレン樹脂、ポリスチレン樹脂、アクリル樹脂、天然ゴム系樹脂、塩化ビニル−酢酸ビニル共重合体、エチレン−酢酸ビニル共重合体、紫外線硬化ニス、ポリエチレンテレフタレート樹脂等を例示することができ、それらを任意に組合せた積層フイルムを疑似接着剤層１１とすることができる。疑似接着剤層１１は、前記疑似接着面で剥離した後、当該疑似接着面同士で再接着不能に設けられている。
【００１６】
前記中間層１２は、上質紙、和紙、フイルム等が例示できる。
【００１７】
前記接着剤層１３は、中間層１２の裏面に積層されており、これにより、中間層１２が接着剤層１３を介して剥離シート１４の表面に仮着されるようになっている。
【００１８】
ここで、接着シートＳは、複数の領域に区分されて用いられる。具体的には、基材シートＢＳの表面には、第１情報表示部２１と、第２情報表示部２２と、これら第１及び第２情報表示部２１、２２の間に設けられ、第２情報表示部２２と折れ線２３を介して連設される引出取っ手部２５と、封止シール部２６とを備えている。
【００１９】
前記第１情報表示部２１には、上下及び左右方向に第１切り込みＣ１が複数形成され、当該第１切り込みＣ１は、基材シートＢＳ側から中間層１２に達し当該中間層１２全部を切り込まない深さとされ、第１情報表示部２１に配達票、控票、受領書等の複数の伝票類Ｄを形成可能に設けられている。これにより、各伝票類Ｄは、疑似接着剤層１１で剥離されるようになっている。
【００２０】
前記剥離シート１４は、上質紙、和紙、フイルム等の少なくとも一方の面にシリコーン層等の不接着処理が施されたものが例示できる。そして、第１情報表示部２１及び引出取っ手部２５の裏面に位置する剥離シート１４には、図１中点線で示されるように、閉ループ状の第２切り込みＣ２が形成され、当該第２切り込みＣ２は、剥離シート１４の裏面側から基材シートＢＳに達し当該基材シートＢＳ全部を切り込まない深さとされ、この第２切り込みＣ２の内側の剥離シート１４は接着不能部２８として形成され、当該接着不能部２８の外側に位置する接着剤層１３により貼付部２９が形成される。貼付部２９は、第１情報表示部２１の下縁を除く３縁に沿って位置する（図４中格子模様領域参照）。なお、折れ線２３の裏側に位置する第２切り込みＣ２以外は、図２に示されるように、中間層１２に達し当該中間層１２全部を切り込まない深さとしてもよい。これにより、第１情報表示部２１外縁から剥離シート１４を剥がすと、第２切り込みＣ２の外側だけが接着剤層１３から剥がれ、第２切り込みＣ２で囲まれる剥離シート１４つまり接着不能部２８は、接着剤層１３と接着した状態が維持される。
【００２１】
前記第２情報表示部２２は、接着不能部２８より左右幅及び上下幅が小さい平面形状に形成されている。第２情報表示部２２の左右の外縁を形成する第３切り込みＣ３は、第１切り込みＣ１と同じ切り込み深さに設定されている。第３切り込みＣ３は、折れ線２３の左右両側において当該折れ線２３の延長線上に形成された第６切り込みＣ６に接続されている。この第６切り込みＣ６は、基材シートＢＳ側から剥離シート１４に達し当該剥離シート１４全部を切り込まない深さに設定されている。このような第２情報表示部２２の基材シートＢＳ表面には、例えば、商品名、金額等を含む納品書等の秘匿情報の印字が施され、基材シートＢＳの裏面には、配送商品の保証書や、クーリングオフの条文等の定型的な印字が施される。なお、保証書や、クーリングオフの条文等も間接的に配送物を特定することができるため、秘匿情報といえる。
【００２２】
前記引出取っ手部２５は、左右に細長い平面形状とされ、第２情報表示部２２と同じ左右幅に設定されている。引出取っ手部２５は、第１情報表示部２１と第１切り込みＣ１を挟んで上下に隣り合っており、また、その左右両端は、第１切り込みＣ１と同じ切り込み深さの第４切り込みＣ４により形成されている。なお、引出取っ手部２５の疑似接着剤層１１における接着力は、それ以外の領域における疑似接着剤層１１の接着力よりも強く設定されている。これにより、折れ線２３で第２情報表示部２２を折り返したときに、基材シートＢＳの剛性によって、引出取っ手部２５の疑似接着剤層１１での接着が解除されて
しまうことを防止可能となる。なお、引出取っ手部２５の裏面の疑似接着剤層１１における第１切り込みＣ１側の接着力は、強く設定しなくてもよく、逆に他の領域の接着力よりも弱い接着力とするとよい。このように構成することで、図３に示すように引出取っ手部２５を指先で掴んで疑似接着剤層１１で剥離するときに、剥離し易くなる。
【００２３】
前記封止シール部２６の外縁を形成する第５切り込みＣ５は、図１中一点鎖線で囲まれる位置に形成された切り込みからなる。第５切り込みＣ５は、基材シートＢＳ側から剥離シート１４に達し当該剥離シート１４全部を切り込まない深さに設定されている。封止シール部２６の疑似接着剤層１１における接着力は、隣接する第１情報表示部２１の疑似接着剤層１１より強く設定されている。これにより、封止シール部２６を剥離するときに疑似接着剤層１１で剥離され難くすることができ、確実に接着剤層１３で剥離できるようになっている（図６参照）。なお、封止シール部２６は、複数設けてもよい。
【００２４】
次に本実施形態における接着シートＳの使用方法について説明する。
【００２５】
先ず、第１情報表示部２１の基材シートＢＳ表面に配送商品の届け先等に関する情報等の印字が施される一方、第２情報表示部２２の基材シートＢＳ表面に、秘匿情報となる配送商品の情報等が印字される。なお、第２情報表示部２２の基材シートＢＳ裏面には、保証書やクーリングオフの条文等が予め印字されていてもよい。
【００２６】
印字が完了すると、第２情報表示部２２の外縁側、例えば、図１中矢印Ｐで示す位置から当該第２情報表示部２２を疑似接着剤層１１から剥離していくと、第２情報表示部２２は、第３切り込みＣ３に沿って基材シートＢＳから分割される。そして、折れ線２３の左右両側で第６切り込みＣ６によって、引出取っ手部２５及び第１情報表示部２１が疑似接着剤層１１、中間層１２及び接着剤層１３を伴って剥離シート１４から剥離されることとなる。このとき、剥離シート１４は、第２切り込みＣ２によって分割されて接着剤層１３と接着した状態が維持され、当該第２切り込みＣ２の内側に接着不能部２８が形成されるとともに、この接着不能部２８の外側に貼付部２９が表出する（図２中二点鎖線で示すＡ−Ａ線及び図４参照）。
【００２７】
このように剥離を終えた後、接着シートＳを折れ線２３で折り返し、図４中二点鎖線で示されるように、第１情報表示部２１裏面側の接着不能部２８に第２情報表示部２２の裏面が接触する状態とする。この折り返した状態を保ちながら、貼付部２９を介して接着シートＳを被着体Ｗに貼付すると、図５に示されるようにポケット３０が形成され、このポケット３０内に第２情報表示部２２が収容されて隠蔽される（隠蔽貼付状態）。この隠蔽貼付状態において、第１情報表示部２１と共に引出取っ手部２５及び封止シール部２６がポケット３０の外部に表出した状態となる。また、引出取っ手部２５における疑似接着剤層１１の接着が維持されるので、第三者が第２情報表示部２２を引っ張り出して簡単に秘匿情報を見ることができない上、第２情報表示部２２がポケット３０から抜け出すことを規制することができる。このように接着シートＳが貼付された被着体Ｗは、配達業者等を介して受取人に配送される。なお、図６に示されるように、封止シール部２６を剥離シート１４から剥離して、剥離した封止シール部２６を引出取っ手部２５と被着体Ｗとを跨ぐように貼付してもよい。これにより、ポケット３０の開口部３０Ａを封止することができ、第２情報表示部２２の隠蔽性を保ち、当該第２情報表示部２２の紛失を確実に防止することができる。
【００２８】
被着体Ｗが受取人に配送されると、第１情報表示部２１における受領証等の伝票類Ｄが必要に応じて剥離される。そして、受取人は、図３に示されるように先ず、引出取っ手部２５を疑似接着剤層１１で剥離し、引出取っ手部２５の基材シートＢＳを指先で掴んで図３中左側に引っ張ることにより、ポケット３０内から第２情報表示部２２を引き出し、その印字内容を確認し得るようになっている。ここで、疑似接着層１１で剥離すると、疑似接着面同士で再接着不能に設けられているので、例えば、配送の途中で第三者が第２情報表示部２２を引き出してその印字内容を見た場合、第２情報表示部２２を再度ポケット３０内に収容しても、引出取っ手部２５が接着していないことで視認させた痕跡を残すことができ、第２情報表示部２２が第三者に見られたことが分るようになっている。また、第三者が第２情報表示部２２を視認しようとするときに、引出取っ手部２５を疑似接着剤層１１で剥離すれば、例えば粘性がないこと等によって、引出取っ手部２５の裏面の疑似接着剤層１１が再接着しないことが直ぐに分るので、視認を止めさせる動機を促すことができ、ひいては、秘匿情報が漏洩することを防止することができる。
【００２９】
ところで、例えば、配送商品の不具合等により配送された被着体Ｗを返送する場合があり、このとき、配送商品の情報が印字された第２情報表示部２２も返送することが求められる。この場合、図６に示されるように、第２情報表示部２２を折り畳んでポケット３０内に収容する。そして、封止シール部２６を剥離シート１４から剥離して、図７に示されるように、剥離した封止シール部２６を被着体Ｗと引出取っ手部２５が積層されていた中間層１２とを跨ぐように貼付する。これにより、開口部３０Ａが封止シール部２６により封止され、ポケット３０内の第２情報表示部２２の脱落を防止することができる。なお、封止シール部２６は、開口部３０Ａを全て封止できる長さとしてもよい。
【００３０】
従って、このような実施形態によれば、図５の状態で第１情報表示部２１と同様に封止シール部２６がポケット３０の外部に表出し、且つ、剥離シート１４から剥離可能な位置に設けられるので、ポケット３０の開口部３０Ａを封止するために粘着テープ等を用意する手間やコストを抑制することができ、開口部３０Ａを封止する作業の簡略化、迅速化を図ることができる。また、複数の伝票類Ｄにより形成される第１情報表示部２１において、不使用で余る領域に第５切り込みＣ５を設けるだけで封止シール部２６を形成可能となり、接着シートＳの無駄を少なくして有効利用することが可能となる。
【００３１】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３２】
例えば、前記接着シートＳは、前述の第１、第２情報表示部２１、２２以外の情報表示部を追加してもよいし、第２情報表示部２２を折り畳んで状態でポケット３０内に収容し、貼付部２９を介して被着体Ｗに貼付するようにしてもよい。
【００３３】
また、本発明に係る接着シートＳの層数は、図示構成例に限定されるものではなく、同様の作用を奏する限り、必要に応じて増減させることができる。例えば、疑似接着剤層１１、中間層１２及び剥離シート１４を省略し、第２情報表示部２２の裏面に接着剤層１３は設けず、第１情報表示部２１及び引出取っ手部２５の接着剤層１３に第２情報表示部２２と非接着となる他のシート部材を接着して接着不能部２８を形成してもよい。この場合、第５切り込みＣ５は、基材シートＢＳ側からシート部材に達し当該シート部材全部を切り込まない深さに設定され、基材シートＢＳ裏面に接着剤層１３が積層された状態で、前記他のシート部材から剥離可能に設けられる。
【００３４】
更に、引出取っ手部２５における疑似接着剤層１１の接着力は変更してもよく、例えば、引出取っ手部２５を捲り上げるときに、その疑似接着面で剥離されずに中間層１２が厚み方向中間で破れる（層間剥離する）ような接着力に設定してもよい。このように設定すれば、引出取っ手部２５の裏側に位置する中間層１２の表面に疑似接着剤層１１のフイルムが残存しないようにすることができ、開口部３０Ａ側に貼付される封止シール部２６の接着性を向上させることができる。
【００３５】
また、接着シートＳは宅配商品の配送伝票に限らず、秘匿情報を外部に漏れることなく隠蔽する必要が要請されるその他のラベル、例えば、懸賞付き商品のラベルや、個人的に通達の必要のある配送物等に適用してもよく、また、接着シートＳの平面形状等も変更することができる。
【００３６】
更に、各切り込みＣ１〜Ｃ６は直線に限定されることはなく、各情報表示部２１、２２や引出取っ手部２５、封止シール部２６の形状に応じて変更してもよい。
【符号の説明】
【００３７】
１１  疑似接着剤層
１２  中間層
１３  接着剤層
１４  剥離シート
２１  第１情報表示部
２２  第２情報表示部
２６  封止シール部
２８  接着不能部
２９  貼付部
３０  ポケット
３０Ａ  開口部
ＢＳ  基材シート
Ｓ  接着シート
Ｗ  被着体
【図１】
2012101514.tif 000003
【図２】
2012101514.tif 000004
【図３】
2012101514.tif 000005
【図４】
2012101514.tif 000006
【図５】
2012101514.tif 000007
【図６】
2012101514.tif 000008
【図７】
2012101514.tif 000009